(57)【要約】【課題】ドラム軸芯に対するドラム外周フレの影響がないので、フレによる感光体周速度の周期ムラが緩和され、画像の副走査方向の書き込み繋ぎ部の段差が無い出力画像を得ることができる光書き込み装置、画像形成装置を提供する。【解決手段】感光体ドラム上に配設された、第１の書き込み手段と、その下流に配設された第２の書き込み手段と、感光体ドラムを端部で駆動する駆動ギヤまたは駆動コロと、これを駆動するモータプーリと、第２の書き込み手段で書き込む画像データを第１の書き込み手段で書き込んだ画像と感光体ドラム上で合成するための合成手段を備え、感光体ドラムを駆動するギアまたはコロを駆動するモータプーリの１回転の周期Ｓを感光体ドラムの周速に換算した値の正の整数倍が、第１の書き込み手段と第２の書き込み手段の書き込み位置の間隔になるように構成する。【選択図】図２
2006201683.tif 000002
【特許請求の範囲】
【請求項１】
書き込み手段として複数個の発光素子アレイユニットを感光体の主走査方向に沿って配置し、各発光素子アレイユニットに列設された発光素子から照射光によって感光体ドラムを露光して静電潜像を書き込む光書き込み装置において、
感光体ドラム上に配設されて、画像の一部を書き込む第１の書き込み手段と、第１の書き込み手段で書き込んだ以外の領域を書き込むべく、その下流に配設された第２の書き込み手段と、
該感光体ドラムの外周端部に配設された感光体ドラムを駆動する駆動ギヤと、
前記駆動ギヤを駆動するモータプーリと、
第２の書き込み手段で書き込む画像データを一時遅延させて書き込み、第１の書き込み手段で書き込んだ画像と感光体ドラム上で合成するための合成手段を有し、
感光体ドラムを駆動する前記ギアを駆動するモータプーリの１回転の周期をＳとした時、周期Ｓを感光体ドラムの周速に換算した値の正の整数倍が、第１の書き込み手段と第２の書き込み手段の書き込み位置の間隔Ｌまたはそれに近くなるように駆動ギヤの歯数を設定したことを特徴とする光書き込み装置。
【請求項２】
書き込み手段として複数個の発光素子アレイユニットを感光体の主走査方向に沿って配置し、各発光素子アレイユニットに列設された発光素子から照射光によって感光体ドラムを露光して静電潜像を書き込む光書き込み装置において、
感光体ドラム上に配設されて、画像の一部を書き込む第１の書き込み手段と、第１の書き込み手段で書き込んだ以外の領域を書き込むべく、その下流に配設された第２の書き込み手段と、
該感光体ドラムの外周端部に圧接され該感光体ドラムを駆動する駆動コロと、
前記駆動コロを駆動するモータプーリと、
第２の書き込み手段で書き込む画像データを一時遅延させて書き込み、第１の書き込み手段で書き込んだ画像と感光体ドラム上で合成するための合成手段を有し、
感光体ドラムを駆動する前記コロを駆動するモータプーリの１回転の周期をＳとした時、周期Ｓを感光体ドラムの周速に換算した値の正の整数倍が、第１の書き込み手段と第２の書き込み手段の書き込み位置の間隔Ｌまたはそれに近くなるように駆動コロを構成したことを特徴とする光書き込み装置。
【請求項３】
請求項１または請求項２に記載の光書き込み装置を用いていることを特徴とする画像形成装置。
【発明の詳細な説明】
【技術分野】
【０００１】
本発明は、ＬＥＤアレイ等の発光素子アレイを用いた光書き込み装置及びこの光書き込み装置を備えるプリンタ、デジタル複写機、複合機等の画像形成装置に関する。
【背景技術】
【０００２】
この種の光書き込み装置の従来技術について図を用いて説明する。図６は、従来の典型的な光書き込み装置の要部構成を示す断面図である。図６において、符号１で示すものは帯電チャージャであり、感光体ドラム９上を一様に帯電させる。２は発光素子アレイユニットでなるＬＥＤプリントヘッド（以下、原則的にＬＰＨと略記する）であり、帯電された感光体ドラム９表面に、画像に相当するパターン光を照射し、感光体表面に静電潜像を得る。４は、その潜像を可視化できる顕像に現像する現像装置である。一般にトナーという粉体により現像される。現像された画像パターン上のトナーは、転写チャージャ５上で転写紙と重ね合わされ、その画像が転写紙に転写される。６は転写紙を感光体ドラム９から分離する分離チャージャであり、７は転写残トナーを掃除するクリーニングユニットである。８は感光体上の残留電位を一様に取り払う除電ランプである。
【０００３】
画像パターンを書き込むためのＬＰＨ２は、図６では感光体上に１個配置されており、その幅方向の長さは、転写紙の幅に相当する長さを有し、例えばＡ０幅の転写紙を扱う光書き込み装置であれば、ＬＰＨの長さもＡ０相当になっている（この方式をタイプ１と称する）。
【０００４】
上記のタイプ１のメリットとしては高品質の画像を簡単な構成で得られることであるが、この方式に用いるＬＰＨは原稿の幅方向全てを賄う必要があり、例えばＡ０幅の書き込みを行なう装置の場合はＡ０長さのＬＰＨが必要となり、ＬＰＨの部品費がかなり高額になってしまい、結果的に光書き込み装置自体のコストもアップしてしまうのが最大の欠点であった。
【０００５】
このタイプ１の欠点を補う為に考案された方式の光書き込み装置として、例えばＡ３サイズの長さ（長手方向の幅）のように比較的短尺に形成した発光素子アレイユニット（ＬＰＨ）を、その発光素子アレイが並んでいる長手方向に複数並べることにより、全体として長尺の発光素子アレイユニットにする構成が知られている（図１、図７参照）。このような装置は、例えば特許文献１にても開示されている。
【０００６】
図７は、この種の光書き込み装置の構成の一例を説明する図である。この方式においては、ＬＰＨ（ＬＥＤプリントヘッド）は、感光体ドラム９上に複数配置されている。すなわち、図７に示す如く、ＬＰＨは幅方向に分割された、第１ＬＰＨ２Ａ、第２ＬＰＨ２Ｂ、第３ＬＰＨ２Ｃの３本のＬＰＨが千鳥状に配置されており、１ライン分の画像データを３分割して画像の書き込みを行なっている。具体的には、図７の如く、出力画像は発光素子アレイ制御回路１２に転送され、ここで、画像は幅方向に３分割される。分割された画像は、ＬＰＨ駆動回路１３、１５、１６を介して第１ＬＰＨ２Ａ、第２ＬＰＨ３Ｂ、第３ＬＰＨ３Ｃに並行してデータが転送されるが、第１ＬＰＨ２Ａに対して下流側に配置された第２ＬＰＨ３Ｂ、第３ＬＰＨ３Ｃに関しては図に示す通り遅延回路１４，１４を通して、所定の時間遅延されてＬＰＨ駆動回路１５、１６にデータを転送することで、各ＬＰＨにて書き込まれたそれぞれの画像が、感光体９（図示せず）上で再度１ラインに合成される様になっている（この方式をタイプ２と称する）。
【０００７】
この様な構成及び関連処理については、特許文献１に詳しく説明されており、ここでの詳細説明は省略する。なお、特許文献１では、特に短尺の基板だけを用いて実質的に１つの基板を構成すること、また、環境温度変化、発光素子等の発熱、等があっても熱膨張に起因する画像劣化を生じない光書き込み装置と画像形成装置、関連する発光部の位置調節方法が提案されている。
【０００８】
参考のため、図８に、特許文献１において開示されている画像形成のための画像情報処理システムのブロック図を示す。図８中の、要部について簡略に触れると、画像形成装置６００は、画像形成のための機械的な構成にかかる画像形成部６０１と、電気的な処理を行なうための構成からなる制御部６０２とからなり、記憶された情報を転写紙に複写するための一連のプロセスを実行する。この画像情報処理システムでは、画像形成部６０１とは別体の原稿読み取り装置６０３を設けている。原稿読み取り装置６０３は原稿を読み取る機械的な構成部分である原稿読み取り部６０３Ａと読み取った画像情報を処理する画像処理部６０３Ｂからなる。
【０００９】
画像形成部６０１は、光書き込み装置９０のほか、制御部６０２に入力を行なう操作手段として、キー入力を可能とする操作装置６０４を有している。そのほか、画像形成部６０１は、画像形成のための諸部材を有し、これらの諸部材が駆動されて画像形成にかかる諸プロセスが行なわれる。これら諸部材としては、例えば、感光体、現像手段、転写搬送ベルト等の駆動源が含まれ、これらは一括して駆動装置として符号６０５で示されている。
【００１０】
制御部６０２へは画像処理された画像データが入力される。制御部６０２は、読み取られた原稿情報を記憶する記憶手段としての画像情報記憶装置６０２Ａ１と、発光素子ヘッド制御回路８９への入力を整える複写回路６０２Ａ２とからなり、画像情報記憶装置６０２Ａ１は画像ページメモリ部６０２Ａ１＿１と、データ情報を制御するシステム制御装置６０２Ａ１―２を有している。複写回路６０２Ａ２は発光素子書き込み制御回路６０２Ａ２＿１とプリンタ駆動制御回路６０２Ａ２＿２とからなる。
【００１１】
画像処理回路Ｂ４からの出力が、画像ページメモリ部６０２Ａ１＿１へ入力されて書き込まれる。画像ページメモリ部６０２Ａ１＿１に書き込まれた画像信号は、適宜読み出されて複写回路６０２Ａ２へ出力されさらに、発光素子書き込み制御回路６０２Ａ２＿１を介して発光素子ヘッド制御回路８９に出力され、発光素子アレイユニット１Ａ、１Ｂ、１Ｃを発光させている。図８のその他の構成についての説明は本明細書では省略する。
【００１２】
【特許文献１】特開２００１−３２８２９２号公報
【００１３】
上記のタイプ２のメリットはＬＰＨを幅の短い複数配置するようにして、ＬＰＨを使用してその部品費を安く抑えているところである（ちなみにＰＨＬの部品コストは幅方向の長さに比例する。）。その反面、複数のＬＰＨで書き込んだ画像を感光体上で合成する必要がある為、書き込み前の画像データ処理が複雑となってしまう。なお、ＬＰＨ分割部の繋ぎ目は前述書き込み画像合成の際、画像が正常に繋がる様、ＬＰＨの位置精度を一定以上の高水準に確保していると共に、部品精度で抑えきれない分について調整機構を設けて必要な位置精度を確保している。
【００１４】
然しながら、この分割書き込みタイプの欠点は、前記部品精度の確保又は調整により、あるレベル以上の画像つなぎ精度は維持しているが、その構成上次に挙げる原因により、精度を確保することができないことである。すなわち、図９に示す通り、感光体の周速が常時一定（図中の狙いの速度）であれば問題無いが、実際には図に示す通りあるレベルで規制的な周期で周速が乱れる現象を生じる（図中実際の速度参照）。この乱れの原因は、感光体ドラム軸芯に対する外周のフレであったり、又、感光体を駆動するプーリ等の軸芯に対するフレである。このような周速の乱れに起因して、結果的に図１０に示す状態のように得られる画像の繋ぎ部に画像ずれを生じ不良画像となってしまう不都合があった。
【発明の開示】
【発明が解決しようとする課題】
【００１５】
したがって、本発明の目的は、従来の分割したＬＥＤプリントヘッドを用いた光書き込み装置の持つ上述の欠点を改善し、より良好な書き込み画像品質を得ることができる光書き込み装置を提供するところにある。
【課題を解決するための手段】
【００１６】
本発明の光書き込み装置は、書き込み手段として複数個の発光素子アレイユニットを感光体の主走査方向に沿って配置し、各発光素子アレイユニットに列設された発光素子から照射光によって感光体ドラムを露光して静電潜像を書き込む光書き込み装置において、感光体ドラム上に配設されて、画像の一部を書き込む第１の書き込み手段と、第１の書き込み手段で書き込んだ以外の領域を書き込むべく、その下流に配設された第２の書き込み手段と、該感光体ドラムの外周端部に配設された感光体ドラムを駆動する駆動ギヤと、前記駆動ギヤを駆動するモータプーリと、第２の書き込み手段で書き込む画像データを一時遅延させて書き込み、第１の書き込み手段で書き込んだ画像と感光体ドラム上で合成するための合成手段を有し、感光体ドラムを駆動する前記ギアを駆動するモータプーリの１回転の周期をＳとした時、周期Ｓを感光体ドラムの周速に換算した値の正の整数倍が、第１の書き込み手段と第２の書き込み手段の書き込み位置の間隔Ｌまたはそれに近くなるように駆動ギヤの歯数を設定したことを特徴とする。この構成により、ドラム軸芯に対するドラム外周フレの影響がないので、フレによる感光体周速度の周期ムラが緩和され、画像の副走査方向の書き込み繋ぎ部の段差が生じ難くなる。
【００１７】
また、本発明では光書き込み装置は、書き込み手段として複数個の発光素子アレイユニットを感光体の主走査方向に沿って配置し、各発光素子アレイユニットに列設された発光素子から照射光によって感光体ドラムを露光して静電潜像を書き込む光書き込み装置において、感光体ドラム上に配設されて、画像の一部を書き込む第１の書き込み手段と、第１の書き込み手段で書き込んだ以外の領域を書き込むべく、その下流に配設された第２の書き込み手段と、該感光体ドラムの外周端部に圧接され該感光体ドラムを駆動する駆動コロと、前記駆動コロを駆動するモータプーリと、第２の書き込み手段で書き込む画像データを一時遅延させて書き込み、第１の書き込み手段で書き込んだ画像と感光体ドラム上で合成するための合成手段を有し、感光体ドラムを駆動する前記コロを駆動するモータプーリの１回転の周期をＳとした時、周期Ｓを感光体ドラムの周速に換算した値の正の整数倍が、第１の書き込み手段と第２の書き込み手段の書き込み位置の間隔Ｌまたはそれに近くなるように駆動コロを構成したことを特徴とする。この構成により、ドラム軸芯に対するドラム外周フレの影響がないので、フレによる感光体周速度の周期ムラが緩和され、画像の副走査方向の書き込み繋ぎ部の段差が生じ難くなる。
【００１８】
また、本発明の画像形成装置は、請求項１または請求項２に記載の光書き込み装置を用い構成したことを特徴とする。光書き込み装置での、ドラム軸芯に対するドラム外周フレの影響がないので、フレによる感光体周速度の周期ムラが緩和され、画像の副走査方向の書き込み繋ぎ部の段差が無い画像が形成される。
【発明の効果】
【００１９】
光書き込み装置での、ドラム軸芯に対するドラム外周フレの影響がないので、フレによる感光体周速度の周期ムラが緩和され、画像の副走査方向の書き込み繋ぎ部の段差が無い出力画像を得ることができる。
【発明を実施するための最良の形態】
【００２０】
〔第１実施形態〕
以下、本発明の実施の形態について、図１〜図５を用いて説明する（一部、図７も重複して参照する）。以下では、既に述べた従来技術と同じ構成・動作については説明を簡略化あるいは省略し、特徴のある新たな点についてのみ詳述する。
【００２１】
図１は、本発明に係る光書き込み装置の要部構成を示す断面図である。図１おいて、図６と同等部分には同一符号を付してあり、説明は適宜省略する。図１において、符号９Ａで示すものは感光体ドラムであり、１０は、感光体ドラムを駆動するプーリ（感光体ドラム駆動プーリ）である。複数のＬＰＨが、感光体ドラム９Ａに対向するように配設されており、これらのＬＰＨ（発光素子アレイ）から感光体ドラム９Ａに光を照射して、感光体ドラム９Ａの感光体上に所望の潜像を書き込む。２Ａは画像の一部（中央部）を書き込む第１の書き込み手段としての第１ＬＰＨである。符号３Ｂ，３Ｃは第１の書き込み手段２Ａの下流に配設された第２の書き込み手段としての第２ＬＰＨおよび第３ＬＰＨであり、第１の書き込み手段２Ａで書き込んだ以外の画像領域を書き込む。第１の書き込み手段２Ａで中央部のラインを書き込んだ後、所定の向きに感光体ドラム９Ａが回転するのを所定の遅延時間だけ待って、第２の書き込み手段３Ｂ，３Ｃで残るラインを書き込む。このようにすることによって全幅１本の主走査ラインを書き込むことができる
【００２２】
第２の書き込み手段３Ｂ，３Ｃで書き込む画像データは、図７に示したと同様に、遅延回路１４により所定時間一時的にメモリ内に格納される。その後、第１の書き込み手段２Ａで感光体上に書き込んだ画像に合わせるべく、第２の書き込み手段３Ｂ，３Ｃによる第２の書き込みを所定のタイミング（第１の書き込みからＴ時間経過後）で行なうことで書き込み画像は感光体ドラム９Ａ上で１ラインに合成される。
【００２３】
ところで、前記感光体ドラム９Ａ及び駆動プーリ１０は、その軸芯に対して外周又はピッチ円はフレていないことを理想とするが、前述したように部品加工上若干のフレは生じてしまう。その為、図９に示すように、原稿の送り速度に周期的なムラを生じ、従来の装置では書き込み繋ぎ部において画像の段差を生じていた。
【００２４】
これに対して、本発明ではそれを防止するため、感光体ドラム９Ａの駆動手段を、感光体ドラム外周に配置し、第１の書き込み手段２Ａと第２の書き込み手段３Ｂ，３Ｃの、書き込み遅延に伴うその書き込み位置の間隔を「Ｌ」、感光体ドラムを駆動するギヤ、又はローラ、又はコロ、とこれら部品を駆動するモータプーリの１回転の周期を「Ｓ」とした時、「Ｓ」を感光体ドラムの周長に換算した値の正数倍が「Ｌ」になる又はそれに近くなる様に設定する。
【００２５】
具体的には、図２(a) に示す通り、感光体ドラム９Ａ端部の外周に感光体ドラム駆動ギヤ（単に駆動ギアとも記す）１７を配置し、それをタイミングベルト１８により駆動源となるモータプーリ２０と結ばれている駆動プーリ１０によって駆動し、駆動ギヤ１７と感光体ドラムとのかみ合わせにより感光体ドラム９Ａを駆動する。この場合、感光体ドラム端部にはギヤ１７に噛むギア溝９ａが設けられている。あるいは、感光体ドラム９Ａの端部に駆動ギア１７と噛合する歯車を固設するようにしても良い。
【００２６】
この時、書き込み遅延量と対応させた、第１の書き込み手段２Ａと第２の書き込み手段３Ｂ，３Ｃの書き込み位置の間隔を「Ｌ」とし、感光体ドラムを駆動する駆動ギヤ１７の周期をＳ１、該ギヤを駆動する駆動プーリ１０の周期をＳ２、該プーリを駆動するモータプーリ２０の周期をＳ３とした時、Ｓ１、Ｓ２及びＳ３の正の整数倍が「Ｌ」になる、又はそれに近くなるように、ドラム駆動ギヤ１７、駆動プーリ１０、モータプーリ２０のそれぞれの歯数、又は径を設定してある。
【００２７】
以上、本実施形態の構成を示したが、続いてその作用を説明する。図３、図４は、本実施形態における感光体ドラム９Ａの周速の時間的変化を示す説明図である。前述の所定の関係を維持して構成された装置の場合、感光体ドラム外周の任意の１部位が第１ＬＰＨ２Ａを通過してから第２ＬＰＨ３Ｂ，３Ｃを通過する間に移動する距離の変動は図中で斜線に示す部分に相当する距離となり、この間では周速狙い値に対してプラス側の速度ズレによるドラム外周移動距離のズレ量と、マイナス側の速度ズレによるドラム外周移動距離のズレ量の絶対値が同量となり、従って、トータルのズレ量は相殺されてゼロになっている。これは前述の所定の関係が維持されているため達成できる作用・効果である。
【００２８】
第１の書き込み手段と第２の書き込み手段の、書き込み遅延に伴うその書き込み位置の間隔を「Ｌ」、感光体ドラムを駆動するギヤ、又はローラ、又はコロ、とこれら部品を駆動するモータプーリの１回転の周期をＳとした時、Ｓを感光体ドラムの周速に換算した値の正の整数倍が「Ｌ」になる又はそれに近くなる設定で、各駆動プーリ又はギヤの歯数を構成するようにしており、駆動ローラ又はプーリ又はギヤ等の１回転の周期Ｓは正の整数倍という前記関係を維持して、更に感光体ドラム９Ａを駆動する駆動ギヤ１７がドラム外周に配置されているのでドラム軸芯に対するドラム外周フレの影響が出ないので、フレによる感光体周速度の周期ムラが緩和され、副走査方向の書き込み繋ぎ部の段差が生じるのを防止できる。
【００２９】
仮に前述の関係が多少ズレている場合について、図５を用いて説明する。図５に示すＡ部は、プラスのズレとマイナスのズレで相殺されないで残る部分であり、この距離に相当するドラム外周長が、繋ぎ目での画像ズレとなる。本発明では既述した所定の関係を１００％維持した構成にするのがもちろん理想であるが、諸都合から多少はその関係を維持できない場合もあるが、その場合でも、実使用上問題とならない程度の影響レベルであれば許容され特に問題無い。
【００３０】
駆動手段の各構成要素の周期が細かくなるほど、変動波形は細かな波形となり、仮に前述の正数倍の狙い値が多少ずれたとしても、そのズレによる影響はより小さなものになる。画像劣化に対する影響が大きい部分は回転周期の長い（粗い）箇所であり、その部分（要素）については、本発明の狙いとする設定に極力近づけることが望ましい。
【００３１】
〔第２実施形態〕
第２の実施の形態について説明する。この実施形態では、図２(b) に示すように、適宜の付勢機構で感光体ドラム９Ｂ側に付勢された感光体ドラム駆動コロ１９（以下、駆動コロ）を適宜のテンションを持って感光体ドラム９Ｂの端部外周に押し当てるように構成し、駆動コロ１９と一体となった駆動プーリ１０をタイミングベルト１８により結ばれたモータプーリ２０によって駆動して、感光体ドラム９Ｂを駆動する。
【００３２】
この時、書き込み遅延量と対応させた、第１の書き込み手段２Ａと第２の書き込み手段３Ｂ，３Ｃの書き込み位置の間隔を「Ｌ」とし、感光体ドラムを駆動する駆動コロ１９７の周期をＳ１´、該ギヤを駆動する駆動プーリ１０の周期をＳ２、該プーリを駆動するモータプーリ２０の周期をＳ３とした時、Ｓ１´、Ｓ２及びＳ３の正の整数倍が「Ｌ」になる、又はそれに近くなるように、ドラム駆動コロ１９、駆動プーリ１０、モータプーリ２０のそれぞれの径を設定してある。
【００３３】
第２実施形態における作用・効果も、第１実施形態の場合と同様で、駆動ローラ又はプーリ又はギヤ等の１回転の周期Ｓは正の整数倍という関係を有していて、更に感光体ドラム９Ｂを駆動する駆動コロ１９がドラム外周に配置されているのでドラム軸芯に対するドラム外周フレの影響が出ないので、フレによる感光体周速度の周期ムラが緩和され、副走査方向の書き込み繋ぎ部の段差が生じるのを防止することができる。
【００３４】
〔その他の実施の形態〕以上の実施形態は本発明を限定するものではなく、本発明では、第１の書き込み手段と第２の書き込み手段の、書き込み遅延に伴うその書き込み位置の間隔を「Ｌ」を固定とし、前述した所定の関係になる様に、ドラム駆動ギヤ、該ギヤを駆動するプーリ、該プーリを駆動するモータプーリの歯数や径を設定したが、逆にこれらの歯数や径を所定の関係となるような値に決めてから、これらと所定の関係になるように間隔「Ｌ」の値を設定するようにしてもよい。また、実施の形態では駆動手段をプーリを含むものに限定して説明したが、本発明における駆動手段は、ギヤ・スプロケット等を含んだその他の手段であっても良い。
【００３５】
なお、本発明における光書き込み装置は、複写機、プリンタ、ファクシミリ、マイクロフィルムリーダプリンター等、光書き込みを行ない画像形成を行なう画像形成装置に広く適用可能である。
【図面の簡単な説明】
【００３６】
【図１】本発明に係る光書き込み装置の要部構成を示す断面図である。
【図２】(a),(b)は、本発明に係る光書き込み装置の駆動部の実施の形態を示す斜視図である。
【図３】(a),(b)は、感光体ドラムの周速の時間的変化を示す説明図である。
【図４】(a),(b)は、感光体ドラムの周速の時間的変化を示す説明図である。
【図５】感光体ドラムの周速の時間的変化を示す説明図である。
【図６】従来の光書き込み装置の要部構成を示す断面図である。
【図７】光書き込み装置の構成の一例を示す図である。
【図８】画像形成のための既知の画像情報処理システム例のブロック図である。
【図９】感光体ドラムの周速の時間的変化を示す説明図である。
【図１０】従来の光書き込み装置における不良画像例を説明する図である。
【符号の説明】
【００３７】
１…帯電チャージャ
２Ａ…第１ＬＰＨ（第１の書き込み手段）
３Ｂ…第２ＬＰＨ（第２の書き込み手段）
３Ｃ…第３ＬＰＨ（第２の書き込み手段）
４…現像装置
５…転写チャージャ
６…分離チャージャ
７…クリーニングユニット
８…除電ランプ
９Ａ，９Ｂ…感光体ドラム
９ａ…ギア溝
１０…駆動プーリ（感光体ドラム駆動プーリ）
１２…発光素子アレイ制御回路
１３、１５、１６…ＬＰＨ駆動回路
１４，１４…遅延回路
１７…駆動ギヤ（感光体ドラム駆動ギア）
１８…タイミングベルト
１９…駆動コロ（感光体ドラム駆動コロ）
２０…モータプーリ
ＬＰＨ…ＬＥＤプリントヘッド（発光素子アレイユニット）
【図１】
2006201683.tif 000003
【図２】
2006201683.tif 000004
【図３】
2006201683.tif 000005
【図４】
2006201683.tif 000006
【図５】
2006201683.tif 000007
【図６】
2006201683.tif 000008
【図７】
2006201683.tif 000009
【図８】
2006201683.tif 000010
【図９】
2006201683.tif 000011
【図１０】
2006201683.tif 000012